(57)【特許請求の範囲】
【請求項１】
筒状であり軸方向の両端が開口した筺体と、
該筺体内に配置され且つ該筺体の開口端間で前記軸方向に沿って移動可能な台部と、
該台部に固定される多数の毛からなる一対の刷毛部と、
前記筺体の外部から操作可能であり且つ前記台部を前記筺体に対して前記軸方向に移動させる操作部とを備え、
前記一対の刷毛部は、互いに異なる毛質であり且つ台部から筺体の別々の開口端に向けて延出し、
前記筺体には、軸方向に沿って延び且つ筺体の内外を連通するガイド孔が形成され、
前記操作部は、前記台部に設けられて前記ガイド孔を介して筺体の内部から外部へ向けて突出し、
前記筺体と前記台部とは、前記軸方向で相対移動可能に構成され、
前記筺体と前記台部との相対移動によって、各刷毛部が筺体内に収容された収容状態と、各刷毛部のうちの何れか一方の刷毛部のみが筺体外に進出した進出状態とに切り替わるように構成され、
前記ガイド孔と前記一対の刷毛部のそれぞれとの間に配置される仕切部であって、前記一対の刷毛部のそれぞれの毛がガイド孔から筺体外に出ることを防止するための仕切部を備え、
前記筐体には、前記仕切部を前記軸方向でスライドさせるためのレール部を備え、
前記仕切部は、前記軸方向における長さが前記レール部よりも短く構成され、前記軸方向に延びる逃孔が形成される逃孔形成部と、該逃孔形成部の前記軸方向両端から前記軸方向外側へ延出する一対の延出部と、を備え、
前記逃孔は、前記仕切部が前記レール部に配置された状態において、前記ガイド孔と対応する位置に配置され、前記逃孔の前記軸方向における長さは、前記ガイド孔よりも短く構成され、
前記操作部を前記ガイド孔の一端に向けて移動させると、該操作部が前記軸方向における前記仕切部の逃孔の一端を押しながら移動することで、一方の前記刷毛部が進出状態に切り替わるとともに、収容状態に切り替わる他方の前記刷毛部が該逃孔の他端側に位置する延出部により該ガイド孔から前記筐体外へ出ることを防止し、前記操作部を前記ガイド孔の他端に向けて移動させると、該操作部が前記軸方向における前記仕切部の逃孔の他端を押しながら移動することで、他方の前記刷毛部が進出状態に切り替わるとともに、収容状態に切り替わる一方の前記刷毛部が該逃孔の一端側に位置する延出部により該ガイド孔から前記筐体外へ出ることを防止するように構成されていることを特徴とする除塵ブラシ。
【請求項２】
前記一対の刷毛部のうちの一方の刷毛部は、一方の開口端に向けて延出する硬質な毛からなる硬質刷毛部で構成され、
前記一対の刷毛部のうちの他方の刷毛部は、他方の開口端に向けて延出する柔質な毛からなる柔質刷毛部で構成され、
前記硬質刷毛部の毛は、前記柔質刷毛部の毛よりも短く形成され、
前記ガイド孔は、前記軸方向における筺体の中央部から前記一方の開口端側に変位した位置に形成され、
前記操作部は、前記収容状態において前記ガイド孔の長手方向における中央部よりも前記一方の開口端側に変位した位置に配置される請求項１に記載の除塵ブラシ。
【発明の詳細な説明】
【技術分野】
【０００１】
本発明は、電化製品や家具等の物品を掃き掃除するための除塵ブラシに関する。
【背景技術】
【０００２】
従来から、電化製品や家具等の物品を掃き掃除するための除塵ブラシが提供されている。かかる除塵ブラシは、有底筒状の筺体と、該筺体内に配置され且つ該筺体の開口端と底面との間でスライド可能な台部と、該台部に固定される多数の毛からなる刷毛部と、前記筺体外から前記可動体をスライドさせるための操作部とを備えている。そして、刷毛部は、台部から筺体の開口端に向けて延出している（例えば、特許文献１参照）。
【０００３】
前記除塵ブラシは、操作部を操作して台部を筺体の開口端側にスライドさせると刷毛部が開口端から筺体外に進出し、台部を筺体の底部側にスライドさせると刷毛部が筺体内に収容される。
【０００４】
前記除塵ブラシは、掃き掃除を行うときに刷毛部を筺体外に進出させて使用することができ、また、使用しないときは、筺体内に刷毛部を収容した状態で保管しておくことができるとされている。
【先行技術文献】
【特許文献】
【０００５】
【特許文献１】実用新案登録第３１３９４０４号公報
【発明の概要】
【発明が解決しようとする課題】
【０００６】
ところで、掃き掃除の対象とする物品や塵の種類に応じて、刷毛部に求められる毛質は異なる。例えば、パソコンの画面に付着した埃を払う場合は、該画面を傷付け難くすることが望まれるため、刷毛部には柔らかさが求められる。また、机上の塵を掃く場合は、広範囲に散らばる塵を掻き集める必要があるため、刷毛部には硬さが求められる。
【０００７】
ところが、前記除塵ブラシでは刷毛部の種類が一種類であるため、使用環境に応じた使い分けができず、汎用性がない。
【０００８】
そこで本発明は、汎用性の高い除塵ブラシを提供することを課題とする。
【課題を解決するための手段】
【０００９】
本発明の除塵ブラシは、筒状であり軸方向の両端が開口した筺体と、該筺体内に配置され且つ該筺体の開口端間で前記軸方向に沿って移動可能な台部と、該台部に固定される多数の毛からなる一対の刷毛部と、前記筺体の外部から操作可能であり且つ前記台部を前記筺体に対して前記軸方向に移動させる操作部とを備え、前記一対の刷毛部は、互いに異なる毛質であり且つ台部から筺体の別々の開口端に向けて延出し、前記筺体には、軸方向に沿って延び且つ筺体の内外を連通するガイド孔が形成され、前記操作部は、前記台部に設けられて前記ガイド孔を介して筺体の内部から外部へ向けて突出し、前記筺体と前記台部との相対移動によって、各刷毛部が筺体内に収容された収容状態と、各刷毛部のうちの何れか一方の刷毛部のみが筺体外に進出した進出状態とに切り替わるように構成されたことを特徴としている。
【００１０】
かかる構成によれば、操作部によって、台部を筺体に対して前記軸方向で相対移動させることによって、収容状態と進出状態とを切り替えることができるため、使用者は、使用環境（電化製品や家具等の物品や塵の種類等）に応じて一方の刷毛部または他方の刷毛部を選択して筺体外に進出させた状態で掃き掃除に使用できる。このように、本発明の除塵ブラシは、使用環境によって一対の刷毛部を使い分けることができる。
【００１１】
本発明の除塵ブラシでは、前記一対の刷毛部のうちの一方の刷毛部は、一方の開口端に向けて延出する硬質な毛からなる硬質刷毛部で構成され、前記一対の刷毛部のうちの他方の刷毛部は、他方の開口端に向けて延出する柔質な毛からなる柔質刷毛部で構成され、前記硬質刷毛部の毛は、前記柔質刷毛部の毛よりも短く形成され、前記ガイド孔は、前記軸方向における筺体の中央部から前記一方の開口端側に変位した位置に形成され、前記操作部は、前記収容状態において前記ガイド孔の長手方向における中央部よりも前記一方の開口端側に変位した位置に配置された構成を採用できる。
【００１２】
かかる構成によれば、硬質刷毛部が柔質刷毛部よりも短いため、硬質刷毛部の硬さ、および柔質刷毛部の柔らかさを保ちつつ掃き掃除を行うことができる。
【００１３】
前記除塵ブラシでは、ガイド孔が開口方向における筺体の中央部から一方の開口端側に変位した位置に形成されるとともに、収容状態において、操作部がガイド孔の長手方向における中央部よりも一方の開口端側に変位した位置に配置されている。このため、操作部は、収容状態に配置されている位置を基準として、一方の開口端側への移動量が他方の開口端側への移動量よりも小さい。
【００１４】
したがって、短く形成される硬質刷毛部を出入りさせるための台部の移動量を小さくし、長く形成される柔質刷毛部を出入りさせるための台部の移動量を大きくすることができる。このように、前記除塵ブラシは、台部の移動量を毛の長さに応じた最適な量とすることができる。
【００１５】
本発明の除塵ブラシでは、前記ガイド孔と前記一対の刷毛部のそれぞれとの間に配置される仕切部であって、前記一対の刷毛部のそれぞれの毛がガイド孔から筺体外に出ることを防止するための仕切部を備えた構成を採用できる。
【００１６】
かかる構成によれば、刷毛部とガイド孔との間が仕切部によって遮られるため、各刷毛部がガイド孔を介して筺体外に出てしまうことを防止することができる。このため、前記除塵ブラシでは、各刷毛部が傷んだり、ガイド孔に詰まって操作部の移動を妨げたりすることが防止され、これにより操作し易い状態を維持することができる。
【発明の効果】
【００１７】
以上のように、本発明によれば、汎用性の高い除塵ブラシを提供することができるという優れた効果を奏し得る。
【図面の簡単な説明】
【００１８】
【図１】本発明の一実施形態に係る除塵ブラシの正面図である。
【図２】同実施形態に係る除塵ブラシの平面図である。
【図３】同実施形態に係る除塵ブラシの側面図であり、筺体の軸方向における一方の開口端側から見た側面図である。
【図４】同実施形態に係る除塵ブラシの側面図であり、筺体の軸方向における他方の開口端側から見た側面図である。
【図５】同実施形態に係る除塵ブラシの台部および刷毛部の正面図である。
【図６】同実施形態に係る除塵ブラシの断面図であって、図２のＶＩ−ＶＩ線の断面図である。
【図７】同実施形態に係る除塵ブラシの平面図であって、筺体から一方の刷毛部のみを進出させた状態の平面図である。
【図８】同実施形態に係る除塵ブラシの断面図であって、図７のＶＩＩＩ−ＶＩＩＩ線の断面図である。
【図９】同実施形態に係る除塵ブラシの平面図であって、筺体から他方の刷毛部のみを進出させた状態の平面図である。
【図１０】同実施形態に係る除塵ブラシの断面図であって、図９のＸ−Ｘ線の断面図である。
【発明を実施するための形態】
【００１９】
以下、本発明の一実施形態にかかる除塵ブラシについて、添付図面を参照して説明する。本実施形態に係る除塵ブラシは、例えば、電化製品や家具等の物品を掃き掃除する際に用いられる。
【００２０】
除塵ブラシは、図１および図６に示すように、筒状であり軸方向の両端が開口した筺体２と、筺体２内に配置され且つ筺体２の開口端間で前記軸方向に沿って移動可能な台部３と、台部３に固定される多数の毛からなる一対の刷毛部であって、互いに異なる毛質であり且つ台部３から筺体２の別々の開口端に向けて延出する一対の刷毛部４，５とを備えている。また、除塵ブラシ１は、筺体２の外部から操作可能であり且つ筺体２と台部３とを前記軸方向で相対移動させるための操作部６とを備えている。
【００２１】
筺体２は、扁平円筒状である。より具体的に説明すると、筺体２は、図２、図３、図４に示すように、円弧状であり且つ互いの内周面を対向させて並ぶ一対の湾曲部２０と、各湾曲部２０の対向する端部のそれぞれにつながる一対の平坦部２１とを有する。また、筺体２は、操作部６を前記軸方向で案内するための案内部２２と、後述する仕切部７を前記軸方向でスライドさせるためのレール部２３とを有する。さらに、筺体２は、レール部２３から仕切部７が外れることを防止するための閉塞部２４を有する。
【００２２】
一対の湾曲部２０のうちの一方の湾曲部２０には、図２、図６に示すように、前記軸方向に沿って延び且つ内周面と外周面とに亘って連通する長孔状のガイド孔２００が形成されている。一方の湾曲部２０には、前記軸方向に延び且つ間隔をあけて平行な状態で互いに対向する一対の対向辺部２０１が形成されている。
【００２３】
前記軸方向でのガイド孔２００の中心は、前記軸方向での筺体２の中心に対して筺体２の一方の開口端側に位置ずれしている。そして、前記軸方向において、ガイド孔２００の一端から筺体２の一端までの間隔は、ガイド孔２００の他端から筺体２の他端までの間隔よりも狭くなっている。
【００２４】
さらに、前記一方の湾曲部２０の内周面には、図４、図６に示すように、前記軸方向で真っ直ぐに延びる内溝部２０２が形成されている。内溝部２０２は、開口側になるにつれて幅（一対の平坦部２１が並ぶ方向における幅）が狭くなるように形成されている。
【００２５】
また、内溝部２０２は、前記軸方向での一端が筺体２の一方の開口端側に位置し、他端が筺体２の他方の開口端側に位置するように形成されている。そして、内溝部２０２では、前記軸方向において、他端が筺体２の他方の開口端で開放し、一端が筺体２の一方の開口端側で閉塞されている。本実施形態に係る内溝部２０２は、前記軸方向において、内溝部２０２の一端を筺体２の一方の開口端よりも内側に形成することによって該一端が筺体２の一方の開口端側で閉塞されるように形成されている。
【００２６】
さらに、内溝部２０２は、一方の湾曲部２０の内周面に則して円弧状をなしており、ガイド孔２００を含む領域に形成されている。
【００２７】
本実施形態に係る案内部２２は、一方の湾曲部２０のうちのガイド孔２００を画定する部分で構成されている。すなわち、本実施形態において、案内部２２は、一対の対向辺部２０１で構成されている。また、本実施形態に係るレール部２３は、内溝部２０２で構成されている。
【００２８】
閉塞部２４は、図３および図６に示すように、前記軸方向においてレール部２３の一端を閉塞する閉塞部２４を有する。本実施形態における閉塞部２４は、一方の湾曲部２０におけるレール部２３の一端と筺体２の一方の開口端との間の部分で構成されている。
【００２９】
本実施形態に係る筺体２は、図２に示すように、ガイド孔２００内で操作部６を位置決可能な位置決部２５を有する。位置決部２５は、後述する収容状態における操作部６の前記軸方向での移動を規制可能な止部２５０と、後述する進出状態における操作部６の前記軸方向での移動を規制可能な位置決部２５１とを有する。
【００３０】
止部２５０は、対向辺部２０１からガイド孔２００内に突出する少なくとも一つの突起部２５０ａを有する。本実施形態では、前記軸方向で間隔をあけて並ぶように形成される一対の突起部２５０ａが一対の対向辺部２０１のそれぞれに形成されている。一方の対向辺部２０１に形成されている突起部２５０ａと他方の対向辺部２０１に形成されている突起部２５０ａとは、前記軸方向に直交する方向（一対の対向辺部２０１が並ぶ方向）で対向している。
【００３１】
各突起部２５０ａは、ガイド孔２００の前記軸方向における中心と筺体２の一方の開口端側の端部との間の領域内に形成されている。本実施形態では、前記軸方向に直交する方向で対向する一組の突起部２５０ａがガイド孔２００の前記軸方向における中心と対応または略対応する位置に形成されており、前記軸方向に直交する方向で対向する別の一組の突起部２５０ａがガイド孔２００の前記軸方向における中心から筺体２の一方の開口端側にずれた位置に形成されている。
【００３２】
位置決部２５１は、後述する第一進出状態における操作部６の前記軸方向での移動を規制可能な第一位置決部２５２と、後述する第二進出状態における操作部６の前記軸方向での移動を規制可能な第二位置決部２５３とを有する。
【００３３】
第一位置決部２５２は、ガイド孔２００の一端側に位置し且つ対向辺部２０１からガイド孔２００内に突出する少なくとも一つの第一凸部２５２ａを有する。本実施形態に係る第一位置決部２５２は、互いに別々の対向辺部２０１に形成される一対の第一凸部２５２ａを有する。そして、一対の第一凸部２５２ａは、前記軸方向に直交する方向で互いに対向している。
【００３４】
第二位置決部２５３は、ガイド孔２００の他端側に位置し且つ対向辺部２０１からガイド孔２００内に突出する少なくとも一つの第二凸部２５３ａを有する。本実施形態に係る第二位置決部２５３は、互いに別々の対向辺部２０１に形成される一対の第二凸部２５３ａを有する。そして、一対の第二凸部２５３ａは、前記軸方向に直交する方向で互いに対向している。
【００３５】
台部３は、図５、図６に示すように、操作部６が取り付けられる取付部３０と、取付部３０に連設され且つ刷毛部４，５が固定される一対の固定部３１，３２とを有する。また、台部３は、側面視において外形が扁平円状となるように形成されている。すなわち、台部３の外面には、一列に並び互いに相反する方向に膨らむように湾曲する一対の円弧面３３と、一対の円弧面３３のそれぞれに連続する一対の平坦面３４とが含まれる。
【００３６】
取付部３０は、操作部６を挿入（圧入）するための取付凹部３００であって、外面で開口する取付凹部３００によって構成されている。本実施形態に係る取付凹部３００は、一方の円弧面３３に形成されており、ガイド孔２００と対応する領域に位置している。
【００３７】
一方の固定部３１は、取付部３０よりも筺体２の一方の開口端側に配置される。そして、一方の固定部３１には、台部３の前記軸方向における一方の端面に形成される複数の植設孔３１０であって一方の刷毛部４を植設するための複数の植設孔３１０を有する。
【００３８】
他方の固定部３２は、取付部３０よりも筺体２の他方の開口端側に配置される。そして、他方の固定部３２は、台部３の前記軸方向における一方の端面で開放する収容凹部３２０と、収容凹部３２０内に位置し、他方の刷毛部５の端部を集約して保持するための保持部３２１とを有する。
【００３９】
他方の固定部３２において、保持部３２１には、前記軸方向において一方の端面側に向けて開放する保持孔が形成されている。上述のように、保持部３２１は、収容凹部３２０内に位置するため、保持孔の開口は、収用凹部３２０の開口よりも小さくなっている。保持部３２１の保持孔には、他方の刷毛部５の端部が集約された状態で該保持孔内に挿入されている。
【００４０】
このように、本実施形態に係る除塵ブラシ１では、筺体２の一方の開口端側に配置される一方の固定部３１に対して一方の刷毛部４が設けられ、筺体２の一方の開口端側に配置される他方の固定部３２に対して他方の刷毛部５が設けられている。このため、前記軸方向に台部３をスライドさせることによって、各刷毛部４，５を筺体２内に収容した収容状態と、各刷毛部４，５のうちの一方の刷毛部４のみを筺体２外に進出させた進出状態とを切り替えることができる。
【００４１】
台部３では、収容状態において、前記軸方向での取付凹部３００の中心の位置が、ガイド孔２００の中心よりも筺体２の第一開口端側に位置ずれして配置される。このため、取付凹部３００に取り付けられている操作部６（操作部６の後述する被案内部６０）の中心もガイド孔２００の中心よりも筺体２の第一開口端側に位置ずれして配置される。
【００４２】
台部３は、収容状態から一方の刷毛部４のみを筺体２から進出させた状態（以下、第一進出状態という）に切り替える際の移動量を、収容状態から他方の刷毛部５のみを筺体２から進出させた状態（以下、第二進出状態という）に切り替える際の移動量よりも小さくなるように構成されている。
【００４３】
台部３では、収容状態から第一進出状態に切り替える際の移動量、および収容状態から第二進出状態に切り替える際の移動量に合わせて、収容状態における一方の固定部３１から筺体２の第一開口端までの間隔が、他方の固定部３２から筺体２の他方の開口端までの間隔よりも小さく設定されている。
【００４４】
一方の刷毛部４は、一方の固定部３１から筺体２の一方の開口端に向けて延出する硬質の多数の毛からなる硬質刷毛部４で構成される。硬質刷毛部４は、後述する柔質刷毛部５の毛に比べて短く形成されており、収容状態において毛先が筺体２の一方の開口端に対応する位置または略対応する位置に配置される。すなわち、硬質刷毛部４の毛の一方の固定部３１からの延出量は、収容状態における筺体２の一方の開口端と一方の固定部３１との間隔に対応している。なお、本実施形態に係る硬質刷毛部４は、多数の毛を束ねた複数の毛束を有する。
【００４５】
他方の刷毛部５は、他方の固定部３２から筺体２の他方の開口端に向けて延出する柔質の多数の毛からなる柔質刷毛部５で構成される。柔質刷毛部５の毛は硬質刷毛部４の毛に比べて長く形成されており、収容状態において、毛先が筺体２の他方の開口端に対応する位置または略対応する位置に配置される。すなわち、柔質刷毛部５の毛の他方の固定部３２からの延出量は、収容状態における筺体２の他方の開口端と他方の固定部３２との間隔に対応している。なお、本実施形態に係る柔質刷毛部５では、多数の毛が一つに束ねられている。
【００４６】
本実施形態に係る除塵ブラシ１において、柔質刷毛部５の毛は、硬質刷毛部４の毛よりも柔質に形成されている。
【００４７】
操作部６は、台部３に設けられるとともにガイド孔２００を介して筺体２の内部から外部へ向けて突出する被案内部６０と、被案内部６０の先端部に形成されるとともに筺体２の外部に配置される本体部６１とを有する。
【００４８】
被案内部６０は片状であり、取付凹部３００内に挿入される一端と、筺体２の外部で本体部６１につながる他端とを有する。被案内部６０の前記軸方向での寸法は、止部２５０の突起部２５０ａの間（前記軸方向で隣り合う突起部２５０ａの間）、ガイド孔２００の一端と第一位置決部２５２の第一凸部２５２ａとの間、ガイド孔２００の他端と第二位置決部２５３の第二凸部２５３ａとの間に収まるように設定されている。
【００４９】
被案内部６０は、前記軸方向に直交する方向において、止部２５０の突起部２５０ａ、第一位置決部２５２の第一凸部２５２ａ、第二位置決部２５３の第二凸部２５３ａに接触するように形成されていることが好ましい。このようにすれば、収容状態および進出状態において、被案内部６０をより確実に位置決めできる。
【００５０】
さらに、被案内部６０は、収容状態において、前記軸方向でのガイド孔２００の中心に対し、ガイド孔２００の一端側にずれた位置に配置される。
【００５１】
本体部６１は、平面視において、外形が被案内部６０の外形よりも大きくなるように形成されている。
【００５２】
本実施形態に係る除塵ブラシ１は、図２および図６に示すように、ガイド孔２００と一対の刷毛部４，５のそれぞれとの間に配置される仕切部７であって、一対の刷毛部４，５のそれぞれの毛がガイド孔２００から筺体２外に出ることを防止するための仕切部７をさらに備えている。
【００５３】
仕切部７は、前記軸方向に長い平板状である。仕切部７は、筺体２のレール部２３内に配置されている。仕切部７は、内溝部２０２の形状に則して湾曲している。
【００５４】
仕切部７は、前記軸方向に延びる逃孔７００が形成される逃孔形成部７０と、前記軸方向で仕切部７の両端から延出する一対の延出部７１，７２とを有する。
【００５５】
逃孔７００は、仕切部７が内溝部２０２内に配置された状態において、ガイド孔２００と対応する位置に配置される。逃孔７００の前記軸方向における長さは、ガイド孔２００よりも短い。
【００５６】
一方の延出部７１（以下、第一延出部７１とする）は、筺体２の一方の開口端側に配置され、他方の延出部７２（以下、第二延出部７２とする）は、筺体２の他方の開口端側に配置される。
【００５７】
仕切部７は、前記軸方向における長さが内溝部２０２よりも短くなっている。前記軸方向における第一延出部７１の寸法（逃孔形成部７０からの延出量）は、第二延出部７２の寸法（逃孔形成部７０からの延出量）よりも短い。仕切部７では、前記軸方向における逃孔７００の中心が、仕切部７の中心から第一延出部７１側にずれている。
【００５８】
本実施形態に係る除塵ブラシ１は、台部３を所定の方向（前記軸方向）にスライドさせるためのスライド構造を備える。スライド構造は、台部３を前記軸方向に案内するための台部案内部と、操作部６を前記軸方向に案内するための操作部用案内部とを備えている。スライド構造は、操作部６の移動に応じて仕切部７を前記軸方向に案内するための仕切部用案内部を備える。
【００５９】
本実施形態のスライド構造において、台部用案内部は、筺体２の内周面によって構成され、操作部用案内部は、筺体２のガイド部で構成され、仕切部用案内部は、筺体２のレール部２３で構成されている。
【００６０】
本実施形態に係る除塵ブラシ１は、以上の通りの構成である。次に、本実施形態に係る除塵ブラシ１の使用方法を、図面を参照して説明する。
【００６１】
除塵ブラシ１は、使用していない場合は、図２および図６に示すように、収容状態に切り替えておく。収容状態において、被案内部６０は、一方の対向辺部２０１に形成される一対の突起部２５０ａ、および他方の対向辺部２０１に形成される一対の突起部２５０ａの間に収まるため、外力が作用しても、前記軸方向に移動し難い状態になっている。
【００６２】
掃き掃除を行う際に、除塵ブラシ１の状態を第一進出状態、または第二進出状態に切り替える。
【００６３】
除塵ブラシ１の状態を収容状態から第一進出状態に切り替える場合、操作部６を筺体２の一方の開口端側に移動させる。これに伴い、台部３および硬質刷毛部４も、筺体２の一方の開口端側に移動する。
【００６４】
被案内部６０をガイド孔２００の一端に向けて移動させると、被案内部６０が前記軸方向における仕切部７の逃孔７００の一端（第一延出部７１側の端）を押しながら移動する。これに伴い、仕切部７が筺体２の一方の開口端側に移動し、第二延出部７２がガイド孔２００の他端側と柔質刷毛部５との間に進出し、柔質刷毛部５がガイド孔２００から筺体２の外部に出てしまうことが、仕切部７の第二延出部７２によって防止される。
【００６５】
図７、図８に示すように、被案内部６０は、ガイド孔２００の一端に到達すると、ガイド孔２００の一端と第一凸部２５２ａとの間に収まる。これにより、操作部６が筺体２に対して移動し難い状態になる。そして、筺体２から進出させた硬質刷毛部４を用いて掃き掃除をすることができる。
【００６６】
除塵ブラシ１の状態を第二進出状態に切り替える場合は、操作部６を筺体２の他方の開口端側に移動させる。これに伴い、台部３および柔質刷毛部５も、筺体２の他方の開口端側に移動する。
【００６７】
被案内部６０をガイド孔２００の他端に向けて移動させると、被案内部６０が前記軸方向における仕切部７の逃孔７００の他端（第二延出部７２側の端）を押しながら移動する。これに伴い、仕切部７が筺体２の他方の開口端側に移動し、第一延出部７１がガイド孔２００の他端側と硬質刷毛部４との間に進出する。これにより、硬質刷毛部４がガイド孔２００から筺体２の外部に出てしまうことが、仕切部７の第一延出部７１によって防止される。
【００６８】
図９、図１０に示すように、被案内部６０がガイド孔２００の他端に到達すると、ガイド孔２００の他端と第二凸部２５３ａとの間に収まる。これにより、操作部６が筺体２に対して移動し難い状態になる。そして、筺体２から進出させた柔質刷毛部５を用いて掃き掃除をすることができる。
【００６９】
以上のように、本実施形態に係る除塵ブラシ１によれば、各刷毛部４，５のうちの何れか一方の刷毛部４のみを、対応する開口端から筺体２外に進出した進出状態に切り替えることができる。このため、使用環境（電化製品や家具等の物品や塵の種類等）に応じて一方の刷毛部４の毛または他方の刷毛部５の毛を選んで筺体２外に進出させて、掃き掃除に使用できる。このように、除塵ブラシ１は使用環境によって一対の刷毛部４，５を使い分けることができから、汎用性が高い。
【００７０】
収容状態においては、硬質刷毛部４の毛、および柔質刷毛部５の毛がそれぞれ筺体２内に収容されている。このため、保管や、持ち運び時における硬質刷毛部４の毛、および柔質刷毛部５の毛の傷みを抑えることができる。
【００７１】
第一進出状態では、硬質刷毛部４の毛のみを筺体２の外部に進出させ、第二進出状態では、柔質刷毛部５の毛のみを筺体２の外部に進出させる。このため、使用しない刷毛部４，５の毛を筺体２内に収容しておくことができ、したがって、硬質刷毛部４の毛、および柔質刷毛部５の毛の傷みを、確実に抑えることができる。
【００７２】
本実施形態に係る除塵ブラシ１では、硬質刷毛部４が柔質刷毛部５よりも短い。このため、硬質刷毛部４の硬さ、および柔質刷毛部５の柔らかさを保ちつつ掃き掃除を行うことができる。
【００７３】
より具体的に説明すると、硬質刷毛部４は短く形成される（一方の固定部３１からの延出量を小さくする）ことで撓り難くなっている。このため、硬質な毛質を活かして掃き掃除をすることができる。柔質刷毛部５は長く形成される（他方の固定部３２からの延出量を大きくする）ことで撓り易くなっている。このため、柔質な毛質を活かして掃き掃除をすることができる。
【００７４】
除塵ブラシ１では、収容状態から第一進出状態に切り替える際の台部３の移動量（すなわち、収容状態から第一進出状態に切り替える際の操作部６の移動量）を小さくしつつ、収容状態から第二進出状態に切り替える際の台部３の移動量（すなわち、収容状態から第二進出状態に切り替える際の操作部６の移動量）を大きくしている。
【００７５】
このように、毛足が短い硬質刷毛部４を出入りさせるための台部３の移動量を小さくし、毛足の長い柔質刷毛部５を出入りさせるための台部３の移動量を大きくすることによって、台部３の移動量を毛の長さに応じた最適な量とすることができる。
【００７６】
本実施形態に係る除塵ブラシ１では、一対の刷毛部４，５のそれぞれの毛がガイド孔２００から筺体２外に出ることを防止するための仕切部７がガイド孔２００と一対の刷毛部４，５のそれぞれとの間に配置されている。このため、仕切部７によって筺体２内の各刷毛部４，５の毛がガイド孔２００から筺体２外に出てしまうことを防止できる。
【００７７】
より具体的に説明すると、第一進出状態においては、柔質刷毛部５の毛先がガイド孔２００の他端に接近するが、仕切部７の第二延出部７２がガイド孔２００の他端側に対応する領域に配置されている。このため、柔質刷毛部５の毛がガイド孔２００から筺体２の外部に出てしまうことを防止できる。
【００７８】
第二進出状態においては、硬質刷毛部４の毛先がガイド孔２００の他端側に対応する領域に配置されるが、硬質刷毛部４の毛先に対応する領域に仕切部７の第一延出部７１が配置されるため、硬質刷毛部４の毛がガイド孔２００から筺体２の外部に出てしまうことも防止できる。
【００７９】
このように、仕切部７によって、硬質刷毛部４の毛、および柔質刷毛部５の毛がガイド孔２００から筺体２の外部に出ることを防止することによって、それぞれの毛の傷みを抑えることができる。
【００８０】
さらに、本実施形態では、逃孔７００が前記軸線方向に延びている。このため、操作部６を移動させ始めたとき（収容状態、第一進出状態、第二進出状態に切り替え始めたとき）に仕切部７の位置を変えずに、操作部６のみを移動させることができる。
【００８１】
つまり、仕切部７の軸方向における全長をレール部２３の全長よりも短くし、さらに、収容状態、第一進出状態、第二進出状態に切り替える際の仕切部７の移動量を抑えることによって、筺体２から仕切部７が進出してしまうことを防止している。
【００８２】
除塵ブラシ１では、操作部６が台部３および各刷毛部４，５を筺体２に対して前記軸方向に移動させるように構成されている。このため、使用者は、筺体２を保持している手の指で操作部６を移動させることができる。したがって、除塵ブラシ１は、使用者が片手で収容状態、第一進出状態、第二進出状態のそれぞれに切り替えることができるため、操作性を向上させることができる。
【００８３】
第一進出状態においては、第一位置決部２５２によって操作部６の移動を抑えている。このため、掃き掃除を行う際に硬質刷毛部４に外力が作用しても、台部３が移動してしまうことが抑えられる。第二進出状態においては、第二位置決部２５２によって操作部６の移動を抑えている。このため、掃き掃除を行う際に柔質刷毛部５に外力が作用しても、台部３が移動してしまうことが抑えられる。
【００８４】
本発明の除塵ブラシは、上記一実施形態に限定されるものではなく、本発明の要旨を逸脱しない範囲において種々変更が可能である。
【００８５】
例えば上記実施形態では、操作部６は、台部３を筺体２に対して前記軸方向に移動させるように構成されていた。しかしながら、筺体２を台部３に対して前記軸方向に移動させるように構成されていてもよい。すなわち操作部６は、筺体２と台部３とを前記軸方向で相対移動させることができるように構成されていればよい。
【００８６】
上記実施形態において、筺体２は、扁平円筒状であるが、この構成に限定されない。例えば、筺体２は、円筒状や、角筒状であってもよい。
【００８７】
上記実施形態において、ガイド孔２００は、一方の湾曲部２０に形成されていた。しかしながら、例えばガイド孔２００は、他方の湾曲部２０や、平坦部２１に形成されていてもよい。すなわち、筺体２には、内外に連通し前記軸方向に延びるガイド孔２００が形成されていればよい。
【００８８】
但し、内溝部２０２は、ガイド孔２００を含む領域に形成する必要がある。また、取付部３０の位置も、筺体２内に台部３を配置したときに、ガイド孔２００に対応する領域内に配置されるように構成する必要がある。
【００８９】
上記実施形態において、特に言及しなかったが、硬質刷毛部４は、収容状態において、毛先が筺体２の一方の開口端よりも僅かに内側に配置されていてもよいし、該一方の開口端から僅かに進出するように配置されていてもよい。また、柔質刷毛部５も、収容状態において、毛先が筺体２の他方の開口端よりも僅かに内側に配置されていてもよいし、該他方の開口端から僅かに進出するように配置されていてもよい。
【００９０】
上記実施形態において、操作部６は、台部３および各刷毛部４，５を筺体２に対して前記軸方向に移動させるように構成されていた。しかしながら、例えば、操作部６は、筺体２を台部３および各刷毛部４，５に対して前記軸方向に移動させるように構成してもよい。操作部６は前記軸方向において、筺体２と、台部３および刷毛部４，５とを相対移動させるように構成されていればよい。
【００９１】
上記実施形態において、内溝部２０２は、前記軸方向において、他端が筺体２の他方の開口端で開放し、一端が筺体２の一方の開口端側で閉塞していた。しかしながら、例えば、内溝部２０２は、前記軸方向において、他端が筺体２の他方の開口端で閉塞し、一端が筺体２の一方の開口端側で開放していてもよいし、他端と一端とがそれぞれ筺体２の軸方向における開口端で開放していてもよい。すなわち、内溝部２０２は、前記軸方向における一端部または他端部を、筺体２の前記軸方向における開口端で開口されていればよい。
【００９２】
閉塞部２４は、内溝部２０２の一端を前記軸方向において閉塞していたが、例えば、内溝部２０２の他端を前記軸方向において閉塞するように構成されていてもよい。すなわち、閉塞部２４は、内溝部２０２の一端または他端を閉塞するように構成されていればよい。
【００９３】
上記実施形態において、硬質刷毛部４の毛と、柔質刷毛部５の毛とは、それぞれ硬さと長さが異なっていた。しかしながら、例えば、硬質刷毛部４の毛と、柔質刷毛部５の毛とは、それぞれの毛質が異なっていれば、硬さのみが異なるようにしたり、長さのみが異なるようにしたりしてもよい。また、硬質刷毛部４の毛と、柔質刷毛部５の毛とは、それぞれ異なる材料で構成されていてもよい。
【００９４】
上記実施形態において、図２に示すように、前記軸方向における本体部６１の中心は、ガイド孔２００の中心から筺体２の一方の開口端側にずれた位置に配置されていたが、この構成に限定されない。収容状態における被案内部６０の位置が案内部２２の中心から筺体２の一方の開口端側にずれた位置に配置されていれば、本体部６１の位置は特に限定されない。
【符号の説明】
【００９５】
１…除塵ブラシ、２…筺体、３…台部、４…一方の刷毛部（硬質刷毛部）、５…他方の刷毛部（柔質刷毛部）、６…操作部、７…仕切部、２０…湾曲部、２１…平坦部、２２…案内部、２３…レール部、２４…閉塞部、２５…位置決部、３０…取付部、３１…一方の固定部、３２…他方の固定部、３３…円弧面、３４…平坦面、６０…被案内部、６１…本体部、７０…逃孔形成部、７１…一方の延出部（第一延出部）、７２…他方の延出部（第二延出部）、２００…ガイド孔、２０１…対向辺部、２０２…内溝部、２５０…止部、２５０ａ…突起部、２５１…位置決部、２５２…第一位置決部、２５２ａ…第一凸部、２５３…第二位置決部、２５３ａ…第二凸部、３００…取付凹部、３１０…植設孔、３２０…収容凹部、３２１…保持部、７００…逃孔
【図１】
0006667296.tif 000002
【図２】
0006667296.tif 000003
【図３】
0006667296.tif 000004
【図４】
0006667296.tif 000005
【図５】
0006667296.tif 000006
【図６】
0006667296.tif 000007
【図７】
0006667296.tif 000008
【図８】
0006667296.tif 000009
【図９】
0006667296.tif 000010
【図１０】
0006667296.tif 000011